(57)【要約】【課題】  従来の技術では、支点型電磁石の動作開始点吸引力が低いことから、復帰バネの戻り力を強くできなかった。このため可動片の復帰に時間がかかり、パチンコ玉通過個数制御装置を通過するパチンコ玉の通過速度を上げられないという問題があった。また、支点型電磁石の動作確認ができないと共に、玉切り装置ではパチンコ玉を不正に通過させる、また玉落とし装置ではパチンコ玉検出センサ用カウントセンサを不正に動作させる等の行為に無力であるという問題があった。【解決手段】  支点型電磁石９を用いてパチンコ玉８の係止および解除を行うパチンコ玉通過個数制御装置において、支点型電磁石９の磁極３と可動片１２のうちどちらか一方または双方に、空間距離を減らすための加工を施したパチンコ玉通過個数制御装置。【選択図】図１
2007068650.tif 000002
【特許請求の範囲】
【請求項１】
支点型電磁石９を用いてパチンコ玉８の係止および解除を行うパチンコ玉通過個数制御装置において、支点型電磁石９の磁極３と可動片１２のうちどちらか一方または双方に、空間距離を減らすための加工を施したことを特徴とするパチンコ玉通過個数制御装置。
【請求項２】
支点型電磁石９を用いてパチンコ玉８の係止および解除を行うパチンコ玉通過個数制御装置において、玉数をカウントするセンサ１０に加えてスプロケットホイルの回転および角度を検出するホイルセンサ１６、または・および支点型電磁石９の可動片位置検出センサ１５等を取り付け、動作確認を可能としたことを特徴とするパチンコ玉通過個数制御装置。
【発明の詳細な説明】
【技術分野】
【０００１】
本発明は、玉切り装置や玉投入装置などにおいて、パチンコ玉のカウントおよび係止を行う装置のうち、スプロケットホイルと支点型電磁石を使用したパチンコ玉通過個数制御装置に関するものである。
【背景技術】
【０００２】
従来の玉切り装置や玉落とし装置等に使用されているパチンコ玉通過個数制御装置の支点型電磁石９は、図６の如く平らな可動片２と平らな磁極３を持ち、可動片２はケース１と支点６で接しているものが存在している。
以上の構成であると、支点型電磁石９の吸引力特性は図７の吸引力−空間距離グラフの如く動作開始点での吸引力と動作終了点での吸引力の差が大きかった。また、パチンコ玉通過個数制御装置におけるセンサは、図８で表した通り、パチンコ玉８を検出するセンサだけを有するものであった。
【発明の開示】
【発明が解決しようとする課題】
【０００３】
パチンコ玉の係止を行う支点型電磁石９は、節電のためパチンコ玉８を流す時に支点型電磁石９のコイル４に通電している。
従ってパチンコ玉８の係止は、復帰バネ５で行うことになる。
従来の技術では、支点型電磁石９の動作開始点吸引力が低いことから、復帰バネ５の戻り力を強くできなかった。
このため可動片２の復帰に時間がかかり、パチンコ玉通過個数制御装置を通過するパチンコ玉８の通過速度を上げられないという問題があった。
また、支点型電磁石９の動作確認ができないと共に、玉切り装置ではパチンコ玉８を不正に通過させる、また玉落とし装置ではパチンコ玉検出センサ用カウントセンサ１０を不正に動作させる等の行為に無力であるという問題があった。
【課題を解決するための手段】
【０００４】
上記課題を解決するための本発明の第１発明は、請求項１に記載された通りのパチンコ玉個数制御装置であり、次のようなものである。
支点型電磁石９を用いてパチンコ玉８の係止および解除を行うパチンコ玉通過個数制御装置において、支点型電磁石９の磁極３と可動片１２のうちどちらか一方または双方に、空間距離を減らすための加工を施した構成である。
【０００５】
上記課題を解決するための本発明の第２発明は、請求項２に記載された通りのパチンコ玉個数制御装置であり、次のようなものである。
支点型電磁石９を用いてパチンコ玉８の係止および解除を行うパチンコ玉通過個数制御装置において、玉数をカウントするセンサ１０に加えてスプロケットホイルの回転および角度を検出するホイルセンサ１６、または・および支点型電磁石９の可動片位置検出センサ１５等を取り付け、動作確認を可能とした構成である。
【発明の効果】
【０００６】
本発明に係るパチンコ玉個数制御装置は、上記説明のような構成であるので、以下に記載する効果を奏する。
（１）請求項１ではパチンコ玉通過個数制御装置における支点型電磁石９の動作時負荷は、復帰バネ５とパチンコ玉８の重さに起因する可動片先端の摩擦である。
このうち変形した可動片１２の先端摩擦は、パチンコ玉通過個数制御装置の上部にあるパチンコ玉８の重量で決定され、復帰バネ力と比較すると小さい。また、先端摩擦の発生は動作開始点近くに限定され、動作終了点にはない。
また変形した可動片１２の動作距離が小さく、復帰バネ５の動作ストロークも小さいため支点型電磁石９の動作終了点での吸引力は動作開始点の吸引力と同等以上あればよい。
従って、従来技術の支点型電磁石９より動作終了点の吸引力は下がっても問題はないことになる。
（２）請求項２ではスプロケットホイル１１または支点型電磁石９の変形した可動片１２の動作を検出するセンサを設けることにより、パチンコ玉８が流れない場合の不具合原因検出と、不正行為の防止を可能にした。また、スプロケットホイル１１および支点型電磁石９双方にセンサを配置すれば、不正行為に対してより安全率を上げることが可能である。
【発明を実施するための最良の形態】
【０００７】
支点型電磁石９を用いてパチンコ玉８の係止および解除を行うパチンコ玉通過個数制御装置において、支点型電磁石９の磁極３と可動片１２のうちどちらか一方または双方に、空間距離を減らすための加工を施し、さらに、玉数をカウントするセンサ１０に加えてスプロケットホイルの回転および角度を検出するホイルセンサ１６、または・および支点型電磁石９の可動片位置検出センサ１５等を取り付け、動作確認を可能としたパチンコ玉通過個数制御装置である。
【実施例１】
【０００８】
今回の問題を解決する手段としては、磁極と可動片の距離を擬似的に減らし、動作終了点の吸引力を下げることにより、動作開始点での吸引力を増やす手段を開発した。
具体的には変形した可動片１２の支点６近くは、係止点である可動片先端と比較すれば動作量が少ないことを利用するか、図１に示すように磁気的なギャップ１３を短くすればよい。（垂直方向距離だけでなく水平方向距離を利用すればよい。）
従って、請求項１の変形した可動片１２および磁極３の形状は図１の方法だけでなく、図２の如く多様な方法が考えられる。
【０００９】
図１は、支点型電磁石９が、平らな磁極３と型押し等による変形した可動片１２を持ち、変形した部分が図６の平らな可動片２と比べて磁極に近づいている。
ただし、動作最大位置で変形した可動片１２が磁極３に接しても、支点６に近い変形部は動作量が少なく磁極３には当たらない。
従来技術の図６の可動片２と本発明の変形した可動片１２の先端動作距離は同じであるが、動作開始点の磁気的なギャップ１３は減少している。
従って、磁極３の変形した可動片１２に対する吸引力が上がることになる。
図１では磁気的なギャップ１３は空間距離７の１／２、変形した可動片１２の支点６から見た磁気的なギャップ１３までの距離と空間距離７までの距離は２倍としている。
従って、２乗で計算される磁気的なギャップ１３による磁極３と変形した可動片１２の間に働く吸引力は４倍となり、逆に梃子の原理から磁極３と変形した可動片１２の間に働く吸引力は１／２となる。
この計算から動作開始点の磁極３と変形した可動片１２の間に働く吸引力は図７の如く２倍となり、増えた吸引力を強化復帰バネ５ａの強化に当てることが可能となった。
【００１０】
図２は磁気に対するギャップ１３を減少させるためのいろいろな変形した可動片１２、磁極３形状である。
図２−Ａは磁性体の小片１４をスポット溶接や、ねじ止めなどの手段で磁極３に貼り付け、磁気的なギャップ１３を減らしたものである。同様に図２−Ｂは磁性体の小片１４を可動片に貼り付けたものである。図２−Ｃは磁極３を旋盤加工で彫り込み、変形した可動片１２のバーリング加工先端１８と彫り込みの斜面１９との間に吸引力を発生させている。
斜面１９に対しての移動距離なので、非常に磁気的なギャップ１３が小さい状態での動作開始が可能である。
【００１１】
図３は請求項１および請求項２を使用した、パチンコ玉通過個数制御装置である。
センサはパチンコ玉カウントセンサ１０、ホイルセンサ１６、可動片センサ１５の３個を取り付けてある。１７は、可動片センサ１５を動作させるためのセンサ板である。
正常な動作タイミングは図４のタイムチャートで表される。
ホイルセンサ１６はカウントセンサ１０がパチンコ玉８を検出している間にカウントセンサ１０よりも短い時間でホイル回転を検出する。
玉落とし装置などで光学的センサに発光体を使用した不正手段を行うと、パチンコ玉コース上にあるカウントセンサ１０を誤動作させることが可能であるが、ホイルセンサ１６と可動片センサ１５は動作しない。
強い発光体を用いてホイルセンサ１６まで誤動作させた場合は、カウントセンサ１０とホイルセンサ１６と可動片センサ１５は同時動作となり、シーケンスが守れない。
また、物理的手段で変形した可動片１２を動かした場合は、コイル４が通電しない状態での変形した可動片１２の動作となり不正行為の検出はさらに容易である。
パチンコ玉８の通過を停止させる時はコイル４の通電を切るが、変形した可動片１２で動作開始点の吸引力を上げ、強化復帰バネ５ａを強くした支点型電磁石９により変形した可動片１２の復帰が早く、パチンコ玉８の過剰通過を防いでいる。
タイムチャート点線２０は、復帰バネ５が弱い場合のタイミングで強化復帰バネ５ａに比べ変形した可動片１２の戻りは遅い。
【００１２】
図５は不正が行われた場合のタイムチャートである。
ＬＥＤなどの発光体を用いて不正を行った場合は可動片センサ１５が動作しない状態でカウントセンサ１０が動作を開始する事から不正の発見が行える。
ハロゲンランプなどの強い発光体を使用した場合では全てのセンサが同時動作を行い、不正を検出することが可能である。
変形した可動片１２を直に押すことなど、物理的手段による不正はコイル４の無通電状態で可動片センサ１５が動作することから、不正の発見は容易である。
【００１３】
図示は行っていないが、コイル４に通電しても可動片センサ１５が動作しなかった場合は、パチンコ玉８がスプロケットホイル１１にブリッジした状態等の原因でスプロケットホイル１１が動作不良を起こした可能性が高く、可動片センサ１５が動作してもカウントセンサ１０およびホイルセンサ１６が動作しない場合は、パチンコ玉通過個数制御装置の上部にパチンコ玉８が存在しないことが原因であると言うように、トラブルの発見と原因の究明も簡単である。
【産業上の利用可能性】
【００１４】
本発明のパチンコ玉個数制御装置は、各種方式のパチンコ機に利用することができるものである。
【図面の簡単な説明】
【００１５】
【図１】本発明の第一実施例に係る支点型電磁石の構造を示す平面図である。
【図２】本発明の第二実施例に係る支点型電磁石の各種可動片磁極形状を示す平面図である。
【図３】本発明の第一実施例に係るパチンコ玉通過個数制御装置を示す平面図である。
【図４】本発明のパチンコ玉個数制御装置の正常なタイムチャートを示すタイムチャート図である。
【図５】本発明のパチンコ玉個数制御装置の不正を検出した場合を示すタイムチャート図である。
【図６】従来技術によるパチンコ玉個数制御装置の支点型電磁石の構造を示す平面図である。
【図７】支点型電磁石の吸引力特性を示す従来技術と本請求項１に記載の発明との比較を表すグラフ図である。
【図８】従来のパチンコ玉通過個数制御装置を示す平面図である。
【符号の説明】
【００１６】
１・・・・ケース                        ２・・・・可動片
３・・・・磁極                          ４・・・・コイル
５・・・・復帰バネ                    ５ａ・・・・強化復帰バネ
６・・・・支点                          ７・・・・空間距離
８・・・・パチンコ玉                    ９・・・・支点型電磁石
１０・・・・パチンコ玉カウントセンサ    １１・・・・スプロケットホイル
１２・・・・変形した可動片              １３・・・・磁気的なギャップ
１４・・・・磁性体の小片                １５・・・・可動片センサ
１６・・・・ホイルセンサ                １７・・・・可動片センサ板
１８・・・・バーリング加工先端          １９・・・・彫り込みの斜面
２０・・・・遅れを示すタイムチャート点線
【図１】
2007068650.tif 000003
【図２】
2007068650.tif 000004
【図３】
2007068650.tif 000005
【図４】
2007068650.tif 000006
【図５】
2007068650.tif 000007
【図６】
2007068650.tif 000008
【図７】
2007068650.tif 000009
【図８】
2007068650.tif 000010